(57)【要約】【課題】従来のトイレ装置に設置されている便座の脚部と干渉せずに設置可能であるとともに、体重を測定可能な測定装置を提供する。【解決手段】便座８に着座している利用者の体重を測定可能であり、便器１上に設置されるとともに、上側に便座８が設置される測定装置２であって、便座８に作用する利用者の荷重を検出するとともに、上面から上方に突出するように配置された複数の荷重検出部２７を備え、便座８には、下面から下方に突出するように配置された複数の脚部８ｅが設けられ、上面から荷重検出部２７の上端までの高さは、便座８の下面から脚部８ｅの下端までの高さよりも高く、平面視において、荷重検出部２７は、脚部８ｅと位置を異ならせて配置されていることを特徴とする。【選択図】図２
2018110607.tif 000002
【特許請求の範囲】
【請求項１】
便座に着座している利用者の体重を測定可能であり、便器上に設置されるとともに、上側に便座が設置される測定装置であって、
前記便座に作用する利用者の荷重を検出するとともに、上面から上方に突出するように配置された複数の荷重検出部を備え、
前記便座には、下面から下方に突出するように配置された複数の脚部が設けられ、
前記上面から前記荷重検出部の上端までの高さは、前記便座の下面から前記脚部の下端までの高さよりも高く、
平面視において、前記荷重検出部は、前記脚部と位置を異ならせて配置されていることを特徴とする測定装置。
【請求項２】
複数の前記荷重検出部は、前後方向に離間して配置され、
前記脚部は、前後の前記荷重検出部の間、及び後側の前記荷重検出部の後方に配置されている請求項１に記載の測定装置。
【請求項３】
尿を電気分解可能な電極を有する尿センサーと、
該尿センサーを作動させるとともに、前記電極が電気分解した結果に基づいて前記尿に含まれる成分の量を演算する制御部と、を備える請求項１または２に記載の測定装置。
【請求項４】
体脂肪率の測定が可能であるとともに把持可能なハンドルを備える請求項１から３のいずれか一項に記載の測定装置。
【請求項５】
前記便座を開閉自在に支持する便座ボックスと電気的に接続可能な第一接続口及び外部電源と電気的に接続可能な第二接続口が設けられている請求項１から４のいずれか一項に記載の測定装置。
【発明の詳細な説明】
【技術分野】
【０００１】
本発明は、測定装置に関するものである。
【背景技術】
【０００２】
便座の下面に圧力センサーを設置し、利用者が便座に着座したときに圧力センサーが検出した圧力値に応じて、利用者の体重を測定可能な体重測定機能を備えたトイレ装置が提案されている（下記特許文献１参照）。
【先行技術文献】
【特許文献】
【０００３】
【特許文献１】特許第３０６３２４５号公報
【発明の概要】
【発明が解決しようとする課題】
【０００４】
しかしながら、従来のトイレ装置において、体重測定機能を付加したい場合には、上記の特許文献１に記載のような圧力センサーが設置された便座（専用便座）に交換しないといけないという問題点がある。
また、陶器からなる便器の上面には凹凸等の高低差が生じやすいため、従来の便座の下面には弾性変形可能な脚部が設けられ、この脚部を便器の上面に設置することで便器の上面の高低差を吸収している。よって、便器や便座等に圧力センサーを設置する際には、便座の脚部との干渉が避けることが望まれている。
【０００５】
そこで、本発明は、上記事情に鑑みてなされたものであり、従来のトイレ装置に設置されている便座の脚部と干渉せずに設置可能であるとともに、体重を測定可能な測定装置を提供する。
【課題を解決するための手段】
【０００６】
上記目的を達成するために、本発明は以下の手段を採用している。
すなわち、本発明に係る測定装置は、便座に着座している利用者の体重を測定可能であり、便器上に設置されるとともに、上側に便座が設置される測定装置であって、前記便座に作用する利用者の荷重を検出するとともに、上面から上方に突出するように配置された複数の荷重検出部を備え、前記便座には、下面から下方に突出するように配置された複数の脚部が設けられ、前記上面から前記荷重検出部の上端までの高さは、前記便座の下面から前記脚部の下端までの高さよりも高く、平面視において、前記荷重検出部は、前記脚部と位置を異ならせて配置されていることを特徴とする。
【０００７】
このように構成された測定装置では、便座に作用する利用者の荷重を検出する荷重検出部を有し、便器上に設置されている。また、便座が、測定装置上に設置されている。よって、従来のトイレ装置に設置されている便座を交換せずにそのまま利用して、便座の上に測定装置を設置することができる。
また、測定装置の上面から上方に突出するように設けられた複数の荷重検出部と、便座の下面から下方に突出するように設けられた複数の脚部とは、平面視において、位置を異ならせて配置されているため、荷重検出部と脚部とは平面視において干渉することがない。
さらに、測定装置の上面から荷重検出部の上端までの高さは、便座の下面から脚部の下端までの高さよりも高いため、荷重検出部は便座の下面を支持することができるとともに、脚部の下端が測定装置の上面に支持されることはない。よって、便座に作用する利用者の荷重を正確に測定することができる。
【０００８】
また、本発明に係る測定装置では、複数の前記荷重検出部は、前後方向に離間して配置され、前記脚部は、前後の前記荷重検出部の間、及び後側の前記荷重検出部の後方に配置されていることが好ましい。
【０００９】
このように構成された測定装置では、脚部は、前後の荷重検出部の間、及び後側の荷重検出部の後方に配置されている。よって、前後の荷重検出部が分散して便座を支持するため、便座が下方に撓んだりすることないとともに、利用者の荷重をより正確に測定することができる。
【００１０】
また、本発明に係る測定装置では、尿を電気分解可能な電極を有する尿センサーと、該尿センサーを作動させるとともに、前記電極が電気分解した結果に基づいて前記尿に含まれる成分の量を演算する制御部と、を備えてもよい。
【００１１】
このように構成された測定装置では、尿を電気分解可能な電極を有する尿センサーと、尿センサーを作動させるとともに、電極が電気分解した結果に基づいて尿に含まれる成分の量を演算する制御部と、を備える。よって、利用者の体重のみならず、尿中の所望の成分の量を測定することができる。
【００１２】
また、本発明に係る測定装置では、体脂肪率の測定が可能であるとともに把持可能なハンドルを備えていてもよい。
【００１３】
このように構成された測定装置では、体脂肪率の測定が可能であるとともに把持可能なハンドルを有するため、利用者の体重のみならず、体脂肪率を測定することができる。
【００１４】
また、本発明に係る測定装置では、前記便座を開閉自在に支持する便座ボックスと電気的に接続可能な第一接続口及び外部電源と電気的に接続可能な第二接続口が設けられていてもよい。
【００１５】
このように構成された測定装置では、便座ボックスと電気的に接続可能な第一接続口及び外部電源と電気的に接続可能な第二接続口が設けられている。よって、既存の便座ボックスに設けられた接続口と第一接続口とを電気的に接続し、第二接続口と外部電源とを電気的に接続して、測定装置及び便座ボックスに電力を供給することができる。測定装置が設置されていない態様では、既存の便座ボックスに設けられている接続口に接続されたケーブルは、外部電源に接続されている。測定装置を設置する際には、外部電源からケーブルを取り外して、測定装置の第一接続口に当該ケーブルを接続するとともに、第二接続口に接続されたケーブルを外部電源に接続して、測定装置及び便座ボックスに電力を供給することができる。
【発明の効果】
【００１６】
本発明に係る測定装置によれば、従来のトイレ装置に設置されている便座の脚部と干渉せずに設置可能であるとともに、体重を測定することができる。
【図面の簡単な説明】
【００１７】
【図１】本発明の一実施形態に係る測定装置を備えた水洗式便器の斜視図である。
【図２】本発明の一実施形態に係る測定装置を右方から見た斜視図である。
【図３】本発明の一実施形態に係る測定装置を前後方向に沿って切断した鉛直断面図である。
【図４】本発明の一実施形態に係る測定装置を上方から見た斜視図である。
【図５】本発明の一実施形態に係る測定装置を下方から見た斜視図である。
【図６】本発明の一実施形態に係る測定装置から上カバーが取り外され、尿センサーが収容位置に配置されている状態を上方から見た斜視図である。
【図７】本発明の一実施形態に係る測定装置から上カバーが取り外され、尿センサーが測定位置に配置されている状態を上方から見た斜視図である。
【図８】本発明の一実施形態に係る測定装置上に設置される便座を下方から見た斜視図である。
【図９】本発明の一実施形態に係る測定装置を備えた水洗式便器において、測定装置の荷重検出部と便座の脚部との配置関係を示すための平面図である。
【図１０】本発明の一実施形態の変形例１に係る測定装置を右方から見た斜視図である。
【図１１】本発明の一実施形態の変形例２に係る測定装置を右方から見た斜視図である。
【発明を実施するための形態】
【００１８】
本発明の一実施形態である測定装置について説明する。
図１は、本発明の一実施形態に係る測定装置を備えた水洗式便器の斜視図である。図２は、本発明の一実施形態に係る測定装置を右方から見た斜視図である。図３は、本発明の一実施形態に係る測定装置を前後方向に沿って切断した鉛直断面図である。
図１から図３に示すように、水洗式便器１００は、便器１と、便座装置３と、浄水タンク７と、を備えている。
【００１９】
便座装置３は、便器１の上に設置されている。便座装置３は、測定装置２と、便座ボックス６と、便座８と、便蓋９と、を備えている。
ここで、便座８に着座する利用者の顔が向く方向を前方とし、便座８に着座する利用者の背中が向く方向を後方とする。また、前後方向と直交する水平方向であって水洗式便器１００の幅方向を左右方向とする。また、左方及び右方を側方と称することがある。
【００２０】
（測定装置）
測定装置２は、便器１と便座８との間に介装されている。換言すると、測定装置２は便器１の上面に固定され、測定装置２の上に便座８が配置されている。
【００２１】
図４は、測定装置２を上方から見た斜視図である。図５は、測定装置２を下方から見た斜視図である。図６は、測定装置２から上カバー２６が取り外され、尿センサー３０が収容位置に配置されている状態を上方から見た斜視図である。図７は、測定装置２から上カバー２６が取り外され、尿センサー３０が測定位置に配置されている状態を上方から見た斜視図である。
図４から図７に示すように、測定装置２は、平面視略Ｏ字状をなす筐体２０と、筐体２０内部に配置された尿センサー３０、保存液タンク４１、校正液タンク４６、尿測定制御部（制御部）５１及びロードセル（荷重検出部）５３と、体脂肪測定体（ハンドル）５５と、を備えている。
【００２２】
筐体２０は、便器１に固定される下カバー２１と、下カバー２１の上方に設けられる上カバー２６と、を有している。下カバー２１及び上カバー２６には、それぞれ平面視略楕円形の開口２０ｈが設けられている。
【００２３】
図５及び図６に示すように、下カバー２１は、平面視環状に形成された環状部２１ａと、環状部２１ａの後部において、左右両側方及び後方に延びる延出部２１ｂと、を有している。
【００２４】
環状部２１ａは、平面視において、便座８と略同一形状であり、便座８の形状に沿って形成されている。延出部２１ｂは、平面視において、便座８よりも左右外側に延びた形状をなしている。
【００２５】
延出部２１ｂの外縁は、環状部２１ａの後部から左右両側方に延びる前壁部２１ｃ、各前壁部２１ｃの端部から後方に延びる側壁部２１ｄ、及び一対の側壁部２１ｄの後端部どうしを接続し左右方向に延びる後壁部２１ｅで形成されている。前壁部２１ｃ、側壁部２１ｄ及び後壁部２１ｅは、延出部２１ｂの下面から上方に立ち上がっている。環状部２１ａの内側は、平面視略楕円形状の開口２１ｈが設けられている。
【００２６】
下カバー２１には、上下方向に貫通する複数の取付孔２２が形成されている。取付孔２２には、不図示の螺子や取付具が挿通され、便器１に螺合されている。
【００２７】
図４に示すように、平面視において、上カバー２６は、下カバー２１と略同一の形状をなしている。上カバー２６は、平面視環状に形成された環状部２６ａと、環状部２６ａの後部において、左右両側方及び後方に延びる延出部２６ｂと、を有している。
【００２８】
延出部２６ｂの外縁は、環状部２６ａの後部から左右両側方に延びる前壁部２６ｃ、各前壁部２６ｃの端部から後方に延びる側壁部２６ｄ、及び一対の側壁部２６ｄの後端部どうしを接続し左右方向に延びる後壁部２６ｅで形成されている。前壁部２６ｃ、側壁部２６ｄ及び後壁部２６ｅは、延出部２６ｂの上面２６ｕから下方に折曲されている。環状部２６ａの内側は、平面視略楕円形状の開口２６ｈが設けられている。上カバー２６の開口２６ｈは、下カバー２１の開口２６ｈと連通している。
【００２９】
下カバー２１の前壁部２１ｃ、側壁部２１ｄ及び後壁部２１ｅの下端は、上カバー２６の前壁部２６ｃ、側壁部２６ｄ及び後壁部２６ｅの上端とそれぞれ当接している。
【００３０】
図６に示すように、下カバー２１の上面には、尿センサー３０、保存液タンク４１、校正液タンク４６、尿測定制御部５１及びロードセル５３が設けられている。上カバー２６は、尿センサー３０、保存液タンク４１、校正液タンク４６、尿測定制御部５１及びロードセル５３を覆うように設けられている。換言すると、尿センサー３０、保存液タンク４１、校正液タンク４６、尿測定制御部５１及びロードセル５３は、下カバー２１と上カバー２６との間に収容されている。図４に示すように上カバー２６の上面２６ｕは、平滑面で形成されている。
【００３１】
図６に示すように、尿センサー３０は、下カバー２１の環状部２１ａの左右両側にそれぞれ設けられている。各尿センサー３０は、下カバー２１に回動可能に固定された基部３１と、基部３１から前方に延び中空状に形成されたアーム部３２と、アーム部３２の内部に配置された尿測定部３３と、を有している。
【００３２】
尿測定部３３の先端は、アーム部３２の先端よりも突出している。尿測定部３３には、尿を電気分解可能な電極（不図示）が設けられている。
【００３３】
下カバー２１の開口２１ｈの縁には、尿センサー３０が配置される位置に対応して、尿センサーカバー２３が設けられている。
【００３４】
尿センサー３０及び尿センサーカバー２３は、不図示の駆動モータに接続されている。尿測定制御部５１からの信号に基づいて駆動モータが駆動することにより、尿センサー３０及び尿センサーカバー２３は、図６に示すように下カバー２１の上面に配置される位置（収容位置）から、図７に示すように先端側が下カバー２１の開口２１ｈに突出した位置（測定位置）まで、基部３１を中心に回動する。平面視において、収容位置に配置された尿センサー３０（図６参照）は、便座８と重なって配置されている。
図６に示すように、本実施形態では、一対の尿センサー３０のうち右側の尿センサー（尿糖測定用センサー）３０Ａは尿糖の測定が可能であり、左側の尿センサー（尿塩分測定用センサー）３０Ｂは尿塩分の測定が可能である。
【００３５】
保存液タンク４１は、下カバー２１の右側に設けられている。保存液タンク４１には、尿糖測定用センサー３０Ａの電流や電圧を安定させるための保存液（液体）が貯留されている。保存液タンク４１は、ポンプ４３とチューブ（不図示）で接続されている。ポンプ４３は、尿糖測定用センサー３０Ａとチューブ（不図示）で接続されている。尿測定制御部５１からの信号に基づいて、ポンプ４３が駆動し、保存液タンク４１内の保存液がチューブを流通して、尿糖測定用センサー３０Ａに供給される。これにより、尿糖測定用センサー３０Ａの先端部は、不図示の容器内で保存液に浸されている。
【００３６】
校正液タンク４６は、下カバー２１の左右両側に設けられている。右側の校正液タンク４６Ａには、尿糖測定用センサー３０Ａの校正を行う校正液が貯留されている。左側の校正液タンク４６Ｂには、尿塩分測定用センサー３０Ｂの校正を行う校正液が貯留されている。校正液タンク４６Ａは、ポンプ４８とチューブ（不図示）で接続されている。ポンプ４８は、尿糖測定用センサー３０Ａとチューブ（不図示）で接続されている。尿測定制御部５１からの信号に基づいて、ポンプ４８が駆動し、校正液タンク４６Ａ内の校正液がチューブを流通して、所定頻度で尿糖測定用センサー３０Ａに供給される。これにより、尿糖測定用センサー３０Ａには、不図示の容器内で校正液が滴下される。また、校正液タンク４６Ｂは、ポンプ４９とチューブ（不図示）で接続されている。ポンプ４９は、尿塩分測定用センサー３０Ｂとチューブ（不図示）で接続されている。尿測定制御部５１からの信号に基づいて、ポンプ４９が駆動し、校正液タンク４６Ｂ内の校正液がチューブを流通して、所定頻度で尿塩分測定用センサー３０Ｂに供給される。これにより、尿塩分測定用センサー３０Ｂには、不図示の容器内で校正液が滴下される。
【００３７】
保存液タンク４１及び校正液タンク４６には、それぞれ開閉可能な蓋４２が設けられている。具体的には、図１に示すように、平面視において、各蓋４２は、便座８の側方（左右外側）に突出した位置に配置されている。換言すると、図６に示すように、各蓋４２は、下カバー２１の前壁部２１ｃの後方に配置されている。図４に示すように、各蓋４２は、便座８の下方に設置される筐体２０において、上カバー２６の延出部２６ｂの上面に沿って配置されている。このため、利用者は、便座８を取り外すことなく（便座８を設置したまま）、蓋４２を開閉して、保存液や校正液等を補充することができる。
【００３８】
尿測定制御部５１は、下カバー２１の後部に設けられている。具体的には、尿測定制御部５１は、平面視において、下カバー２１の延出部２１ｂにおいて後壁部２１ｅの前方に後壁部２１ｅに沿って配置されている。図１及び図３に示すように、平面視において、尿測定制御部５１は、便座８と重なって配置されている。また、尿測定制御部５１は、ロードセル５３での検出結果に基づいて体重を測定してもよいし、体脂肪測定体５５での検出結果に基づいて体脂肪率を測定してもよい。
【００３９】
図６に示すように、尿測定制御部５１は、ポンプ４３，４８，４９を駆動させる信号を出力したり、尿センサー３０を収容位置と測定位置との間で回動させる駆動モータへ信号を出力したり、尿センサー３０で電気分解した結果に基づいて成分の量を演算したりする。また、尿測定制御部５１は、不図示の表示部に、尿センサー３０で測定した測定値を出力する信号を送信する機能を有していてもよい。
【００４０】
ロードセル５３は、便座８に作用する利用者の荷重を検出する。ロードセル５３は、下カバー２１に複数設けられ、便座ボックス６に電気的に接続されている。
【００４１】
本実施形態では、ロードセル５３は、左右対称に配置されるとともに、前後方向に互いに離間して、４箇所に設けられている。平面視において、ロードセル５３は、便座８と重なって配置されている。
【００４２】
前側の２箇所のロードセル５３は、便座８の開口２１ｈ、２６ｈの先端側（前端側）近傍に、左右方向に離間して配置されている。当該ロードセル５３には、利用者の太腿の前部が載置される。後側の２箇所のロードセル５３は、便座８の開口２１ｈ、２６ｈの前後方向の中央近傍に、左右それぞれに配置されている。当該ロードセル５３には、利用者の太腿の後部が載置される。
【００４３】
図４に示すように、上カバー２６には、ロードセル５３と対応する位置にロードセルカバー（荷重検出部）２７が設けられている。つまり、前側の２箇所のロードセルカバー２７は、便座８の開口２１ｈ、２６ｈの先端側（前端側）近傍に、左右方向に離間して配置されている。当該ロードセルカバー２７には、利用者の太腿の前部が載置される。後側の２箇所のロードセルカバー２７は、便座８の開口２１ｈ、２６ｈの前後方向の中央近傍に、左右それぞれに配置されている。当該ロードセルカバー２７には、利用者の太腿の後部が載置される。
【００４４】
ロードセルカバー２７は、ロードセル５３を覆うように配置され、上カバー２６の上面２６ｕから上方に突出している。
【００４５】
前側の各ロードセルカバー２７は、便座８の外縁に沿って湾曲して形成された外側湾曲部２７ａと、便座８の開口２１ｈ，２６ｈに沿って湾曲して形成された内側湾曲部２７ｂと、外側湾曲部２７ａと内側湾曲部２７ｂとを接続し略前後方向に延びる内側側壁部２７ｃと、外側湾曲部２７ａと内側湾曲部２７ｂとを接続し略左右方向に延びる外側側壁部２７ｄと、を有している。平面視において、前側の各ロードセルカバー２７は、左右方向に長い形状をなしている。
【００４６】
後側の各ロードセルカバー２７は、便座８の外縁に沿って湾曲して形成された外側湾曲部２７ｅと、便座８の開口２１ｈ，２６ｈに沿って湾曲して形成された内側湾曲部２７ｆと、外側湾曲部２７ｅの前端部と内側湾曲部２７ｆの前端部とを接続し略左右方向に延びる内側側壁部２７ｇと、外側湾曲部２７ｅの後端部と内側湾曲部２７ｆの後端部とを接続し略左右方向に延びる外側側壁部２７ｈと、を有している。平面視において、前側の各ロードセルカバー２７は、前後方向に長い形状をなしている。
【００４７】
ロードセル５３は、検出した荷重を荷重信号として便座ボックス６に出力する。すなわち、利用者が便座８に着座することでロードセル５３に作用した荷重は、それぞれロードセル５３で電気信号に変換されて荷重信号として便座ボックス６に送信される。
【００４８】
体脂肪測定体５５は、筐体２０の左右両側に設けられている。具体的には、下カバー２１の環状部２１ａには、前壁部２１ｃよりも前方且つ左右方向の内側に取付部２４が設けられている。体脂肪測定体５５は、下カバー２１に設けられた取付部２４に回動自在に固定される基部５６と、基部５６から延び把持可能な把持部５７と、を有している。体脂肪測定体５５は、利用者が把持部５７を把持することで、インピーダンス法等により、身体に微量の電流を流して抵抗を測定することにより、体脂肪率等を測定するものである。把持部５７は、図６に示す先端が前方を向いた位置（収容位置）から平面上を９０°回動して、先端が側方を向けた位置（測定位置）まで回動可能である。
【００４９】
図２に示すように、測定装置２には接続口５８ａ，５８ｂが設けられている。接続口（第一接続口）５８ａに接続されたケーブルＨ１は、便座ボックス６の接続口に接続されている。接続口（第二接続口）５８ｂに接続されたケーブルＨ２は、外部電源（不図示）に接続されている。接続口５８ａ，５８ｂは、測定装置の後部や側方に設けられていることが好ましい。
【００５０】
測定装置２には給水口５９ａ，５９ｂが設けられている。給水口５９ａに接続された配管Ｌ１は、便座ボックス６の給水口６ａに接続されている。給水口５９ｂに接続された配管Ｌ２は、外部給水管（不図示）に接続されている。給水口５９ａ，５９ｂは、測定装置の後部や側方に設けられていることが好ましい。外部給水管から配管Ｌ２を経由して給水口５９ｂから測定装置２内に導入された水は、尿センサー３０の洗浄等に使用される。また、測定装置２の給水口５９ａから配管Ｌ１を経由して給水口６ａから便座ボックス６に導入された水は、局部洗浄等に使用される。
【００５１】
（便座ボックス）
図３に示すように、便座ボックス６は、測定装置２の後部において、測定装置２上に設置されている。便座ボックス６は、筐体６１と、筐体６１の内部に配置され便座８を開閉する便座開閉機構、便蓋９を開閉する便蓋開閉機構、及び人体の局部を洗浄する局部洗浄装置（洗浄機能部）等の各種機能部品（不図示）と、これら各種機能部品を制御する本体制御部（不図示）と、を備えている。
【００５２】
（浄水タンク）
図１に示すように、浄水タンク７は、便器１上において便座ボックス６よりも後方に固定されている。浄水タンク７は、便器１洗浄用の洗浄水を貯留している。
【００５３】
（便座）
便座８は、平面視略Ｏ字状をなしている。後部が便座ボックス６に軸支されており、便器１に対して起立状態と倒伏状態との間で回動自在である。便座８は、倒伏状態（図１参照）で、測定装置２上に設置されている。
【００５４】
図８は、便座８を下方から見た斜視図である。図９は、水洗式便器１００において、測定装置２のロードセルカバー２７と便座８の脚部８ｅとの配置関係を示すための平面図である。
図８に示すように、便座８の下面８ｄには、複数の脚部８ｅが設けられている。本実施形態では、脚部８ｅは、左右対称に配置されるとともに、前後方向に互いに離間して、４箇所に設けられている。
【００５５】
図９に示すように、ロードセルカバー２７と脚部８ｅとは、平面視において、位置を異ならせて配置されている。換言すると、前側のロードセルカバー２７と後側のロードセルカバー２７との間に、前側の脚部８ｅが配置されている。後側のロードセルカバー２７の後方に、後側の脚部８ｅが配置されている。
【００５６】
また、測定装置２の上カバー２６の上面２６ｕからロードセルカバー２７の上端までの高さは、便座８の下面８ｄから脚部８ｅの下端までの高さよりも高い。これにより、ロードセルカバー２７は便座８の下面８ｄを支持することができるとともに、便座８の脚部８ｅの下端が測定装置２の上カバー２６の上面２６ｕに支持されることはない。
【００５７】
（便蓋）
便蓋９は、便座ボックス６に軸支されており、便器１に対して起立状態と倒伏状態との間で回動自在である。
【００５８】
次に、上記のように構成された水洗式便器１００における測定装置２の動作について説明する。
利用者が便座８に着座すると、不図示の着座センサーが感知する。尿測定制御部５１は駆動モータに測定位置移動信号を送信し、これにより、駆動モータは尿糖測定用センサー３０Ａ、尿塩分測定用センサー３０Ｂ及び尿センサーカバー２３を収容位置から測定位置まで移動させる。この際に、尿測定制御部５１の信号に基づいて、体脂肪測定体５５の把持部５７が、収容位置から測定位置まで移動する構成であってもよい。
【００５９】
利用者は排尿すると、尿糖測定用センサー３０Ａ及び尿塩分測定用センサー３０Ｂの電極がそれぞれ電気分解する。尿測定制御部５１は、電気分解の結果に基づいて、尿糖及び尿塩分を演算する。
【００６０】
一方、利用者が便座８に座ると、ロードセル５３に荷重が作用する。これらの荷重は、それぞれロードセル５３で電気信号に変換されて、尿測定制御部５１に送信される。尿測定制御部５１は、これらの電気信号が表す荷重を合計して、利用者の体重を演算する。
【００６１】
また、利用者が、体脂肪測定体５５の把持部５７を把持すると、尿測定制御部５１は、インピーダンス法等により、身体に微量の電流を流して抵抗を測定することにより、体脂肪率等を測定する。
尿測定制御部５１は、これらの測定結果を不図示の表示部に表示してもよい。
【００６２】
このように構成された水洗式便器１００では、便座８に作用する利用者の荷重を検出するロードセル５３を有する測定装置２が、便器１上に設置されている。また、便座８が、測定装置２上に設置されている。よって、従来の水洗式便器１に設置されている便座８を交換せずにそのまま利用して、便座８の上に測定装置２を設置することができる。
【００６３】
また、測定装置２の上カバー２６の上面２６ｕから上方に突出するように設けられた複数のロードセル５３と、便座８の下面８ｄから下方に突出するように設けられた複数の脚部８ｅとは、平面視において、位置を異ならせて配置されているため、ロードセル５３と脚部８ｅとは平面視において干渉することがない。
【００６４】
さらに、測定装置２の上カバー２６の上面２６ｕからロードセル５３の上端までの高さは、便座８の下面８ｄから脚部８ｅの下端までの高さよりも高いため、ロードセル５３は便座８の下面８ｄを支持することができるとともに、脚部８ｅの下端が測定装置２の上カバー２６の上面２６ｕに支持されることはない。よって、便座８に作用する利用者の荷重を正確に測定することができる。
【００６５】
また、脚部８ｅは、前後のロードセル５３の間、及び後側のロードセル５３の後方に配置されている。よって、前後のロードセル５３が分散して便座８を支持するため、便座８が下方に撓んだりすることないとともに、利用者の荷重をより正確に測定することができる。
【００６６】
また、測定装置２は、尿を電気分解可能な電極を有する尿センサー３０と、尿センサー３０を作動させるとともに、電極が電気分解した結果に基づいて尿に含まれる成分の量を演算する尿測定制御部５１と、を備える。よって、利用者の体重のみならず、尿中の所望の成分の量を測定することができる。
【００６７】
また、測定装置２は、体脂肪率の測定が可能であるとともに把持可能な体脂肪測定体５５を有するため、利用者の体重のみならず、体脂肪率を測定することができる。
【００６８】
また、測定装置２には、便座ボックス６の接続口に接続されたケーブルＨ１が接続される接続口５８ａ、及び外部電源に接続されたケーブルＨ２が接続される接続口５８ｂが設けられている。よって、既存の便座ボックスに設けられた接続口と接続口５８ａとを電気的に接続し、接続口５８ｂと外部電源とを電気的に接続して、測定装置２及び便座ボックス６に電力を供給することができる。測定装置２が設置されていない態様では、既存の便座ボックス６に設けられている接続口に接続されたケーブルＨ１は、外部電源に接続されている。測定装置２を設置する際には、外部電源からケーブルＨ１を取り外して、測定装置２の接続口５８ａにケーブルＨ１を接続するとともに、接続口５８ｂに接続されたケーブルＨ２を外部電源に接続して、測定装置２及び便座ボックス６に電力を供給することができる。
【００６９】
また、ロードセル５３はロードセルカバー２７で覆われているため、ロードセル５３が汚れにくい。
【００７０】
なお、本発明に係る測定装置、上述した実施形態に係る測定装置２に限定されるものではなく、本発明の要旨を逸脱しない範囲で適宜の変更や置換等が可能である。
以下に、本発明の実施形態の変形例について説明するが、上述した実施形態で説明した部品や部材等と同一または同様なものについては、同一の符号を用いて説明する。
【００７１】
（変形例１）
次に、本発明の一実施形態の変形例１に係る測定装置について、主に図１０に基づいて説明する。
図１０は、本発明の一実施形態の変形例１に係る測定装置を右方から見た斜視図である。
上記に示す実施形態では、便座ボックス６は、測定装置２の後部において、測定装置２上に設置されているが、図１０に示すように、本変形例では、便座ボックス６Ａは、測定装置２Ａの後方に位置し、便器１上に設置されている。
【００７２】
（変形例２）
次に、本発明の一実施形態の変形例２に係る測定装置について、主に図１１に基づいて説明する。
図１１は、本発明の一実施形態の変形例２に係る測定装置を右方から見た斜視図である。
図１１に示すように、本変形例では、測定ユニット２Ｂは、便座ボックスの構成と測定装置の構成とを有している。換言すると、便座ボックスと測定装置とは一体として形成されている。測定ユニット２Ｂは、平面視環状に形成された環状部２５ａと、環状部２５ａの後部に連続して設けられ環状部２５ａの高さよりも高い後部体２５ｂと、を有している。後部体２５ｂには、タンク、尿測定制御部、各種機能部品及び本体制御部等が配置されている。
【００７３】
なお、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００７４】
１…便器  ２…測定装置  ６…便座ボックス  ７…浄水タンク  ８…便座  ９…便蓋  ２０…筐体  ２１…下カバー  ２２…取付孔  ２３…尿センサーカバー  ２６…上カバー  ２７…ロードセルカバー（荷重検出部）  ２１ｈ，２６ｈ…開口  ３０…尿センサー  ３１…基部  ３２…アーム部  ３３…尿測定部  ４１…保存液タンク  ４２…蓋  ４３…ポンプ  ４６…校正液タンク  ５１…尿測定制御部（制御部）  ５３…ロードセル（荷重検出部）  ５５…体脂肪測定体（ハンドル）  ５６…基部  ５７…把持部  １００…水洗式便器
【図１】
2018110607.tif 000003
【図２】
2018110607.tif 000004
【図３】
2018110607.tif 000005
【図４】
2018110607.tif 000006
【図５】
2018110607.tif 000007
【図６】
2018110607.tif 000008
【図７】
2018110607.tif 000009
【図８】
2018110607.tif 000010
【図９】
2018110607.tif 000011
【図１０】
2018110607.tif 000012
【図１１】
2018110607.tif 000013